(57)【要約】【課題】本発明は、耳が聞こえ難くなったお年寄りや、難聴者等、聴力に支障のある患者さんであっても不自由のない音量でナースコール通話ができるばかりでなく、ベッドサイドにおいて、看護師や見舞い客と直接面談する場合にも、聴力機能を補助し、円滑なコミュニケーションを可能にする、補聴機能付きナースコール子機を提供することを課題とする。【解決手段】着脱自在な補聴用イヤホンを有し、ナースコール状態（呼出ボタン操作に始まるナースコール呼出状態およびナースコール通話状態の両状態を含む）においては、送話用のマイク及び受話用のスピーカ乃至補聴用イヤホンを用いてナースコール親機と通話し、非ナースコール状態においては、前記マイクと前記補聴用イヤホンによる補聴機能を働かせるようにしたことを特徴とする。【選択図】図２
2006230755.tif 000002
【特許請求の範囲】
【請求項１】
ナースコール親機を呼出し相互に通話するための、呼出手段、マイク、スピーカを有するナースコール子機において、着脱自在な補聴用イヤホンを有し、ナースコール状態（呼出ボタン操作に始まるナースコール呼出状態およびナースコール通話状態の両状態を含む）においては、送話用のマイク及び受話用のスピーカ乃至補聴用イヤホンを用いてナースコール親機と通話し、非ナースコール状態においては、前記マイクと前記補聴用イヤホンによる補聴機能を働かせるようにしたことを特徴とする補聴機能付きナースコール子機。
【請求項２】
ナースコール通話の受話用として、前記スピーカおよび前記補聴用イヤホンを切換えて使用できるようにしたことを特徴とする請求項１記載の補聴機能付きナースコール子機。
【請求項３】
前記ナースコール状態を検出したとき動作するＮＣ切替手段を有し、ナースコール状態と非ナースコール状態を自動的に切換えられるようにしたことを特徴とする請求項１および請求項２記載の補聴機能付きナースコール子機。
【発明の詳細な説明】
【技術分野】
【０００１】
本発明は、病院や福祉施設等で使用されるナースコールシステムで使用されるナースコール子機に係り、特に、補聴機能付きナースコール子機に関する。
【背景技術】
【０００２】
従来、患者のベッドサイドに設置されるナースコール子機において、その通話性能は、聴力に大きな支障のない患者さんが使用するには問題なかったが、耳が聞こえ難くなったお年寄りや、難聴者等、聴力に支障のある患者さんにとっては使いにくいものであった。
【０００３】
公知例を調査すると、病室の周囲騒音の大小に対応して、通話音量を可変できるようにしたものは多数ある。
【０００４】
例えば、特許文献１には、夜間音量設定スイッチを押下することにより送受話音の音量を減音または増音し、看護婦が多床の病室の患者と通話するとき他の周りの患者に気兼ねすることなく、夜間でも通話することができる、ということが記載されている。
【０００５】
また、特許文献２には、呼出音量および通話音量を、日勤、準夜勤、夜勤などの勤務体制に連動させることにより、昼夜間の時間帯に対応して、最適な音量で通話を行なえるナースコール装置が記載されている。
【０００６】
上記のいずれの公知例も、使用時間帯で相違する周囲騒音に対応できるようにしたものであるが、夜の時間帯と昼の時間帯の切替方法では若干の違いがある。すなわち、特許文献１では、夜間音量設定スイッチ、特許文献２では、勤務体制スイッチで、夜昼の時間帯を切替えている。
【０００７】
また、いずれの公知例でも、全ナースコール子機の音量を一括切替はできるが、個別のナースコール子機の音量を切替えることはできない。
上記のように、両公知例は、通話阻害要因の１つである周囲騒音の影響を考慮しているが、個別の患者の聴力を考慮したものではない。
【０００８】
【特許文献１】・・・・特開平９−２６１３５４号公報
【特許文献２】・・・・特開２００１−１８６２６６号公報
【発明の開示】
【発明が解決しようとする課題】
【０００９】
本発明は、耳が聞こえ難くなったお年寄りや、難聴者等、聴力に支障のある患者さんであっても不自由のない音量でナースコール通話ができるばかりでなく、ベッドサイドにおいて、看護師や見舞い客と直接面談する場合にも、聴力機能を補助し、円滑なコミュニケーションを可能にする、補聴機能付きナースコール子機を提供することを課題とする。
【課題を解決するための手段】
【００１０】
着脱自在な補聴用イヤホンを有し、ナースコール状態（呼出ボタン操作に始まるナースコール呼出状態およびナースコール通話状態の両状態を含む）においては、送話用のマイク及び受話用のスピーカ乃至補聴用イヤホンを用いてナースコール親機と通話し、非ナースコール状態においては、前記マイクと前記補聴用イヤホンによる補聴機能を働かせるようにしたことを特徴とする。
【発明の効果】
【００１１】
本発明によれば、ナースコール待機時においては、補聴機能付きナースコール子機として機能し、ナースコール状態に遷移すると、自動的に、ＮＣ判定部及びＮＣ切替手段の働きで、通常のナースコール子機の機能に切替えることができる。
【００１２】
また、本発明による補聴機能付きナースコール子機は、通常のナースコール子機として、ナースコール親機との通話が終了すると、通話終了を検知するＮＣ判定部およびＮＣ切替手段の作用でナースコール状態が復旧され、ナースコール子機としての機能から補聴器としての機能に自動的に切替えることができる。
【００１３】
また、本発明では、補聴用のイヤホンを外せば、そのまま、聴覚健常者用のナースコール子機として使用できる。
【００１４】
すなわち、本発明によれば、ナースコール子機または補聴器として特に意識することなく、シームレスに使い分けることができる。
【発明を実施するための最良の形態】
【００１５】
図１は本発明の１実施例における補聴機能付きナースコール子機の外観図である。図において、１は、子機本体、２は呼出ボタン、３は呼出確認灯、４は受話ＶＲ、５はスピーカ、６は補聴用イヤホン、７はマイク、８はナースコール親機に接続するための接続手段である。
【００１６】
図２は、ナースコール子機のブロック図である。
ナースコール子機は、受話端子９、呼出送話端子１０、電源端子１１、共通端子１２を介して、ナースコール親機へ接続される。
【００１７】
なお、ナースコール子機に対する電源は、実施例では、独立の電源端子１１を介して供給されるが、呼出送話端子１０の呼出送話信号に重畳摺る方法で子機電源を供給することも可能である。
【００１８】
５は前述したスピーカ、６は補聴用イヤホン、１３は６補聴用イヤホンの挿入状態を検出するイヤホン挿入判定部であり、イヤホン挿入判定部１３の出力側にイヤホン切替手段１４が接続されている。ｂ１はイヤホン切替手段１４に連動して開閉されイヤホン切替接点である。
【００１９】
呼出送話端子１０には、ナースコール親機を呼出すための呼出ボタン２を有する呼出手段１５が接続され、前述した呼出確認灯３で、呼出状態を確認できるようになっている。
さらに、この呼出送話端子１０には、ＮＣ判定部１６が接続され、その出力側にＮＣ切替手段１７が接続されている。
【００２０】
ＮＣ切替手段１７に連動して開閉するＮＣ切替接点ａ１、ａ２の一方の接点ａ２のコモン端子は、マイクアンプ１８の出力端に接続され、マイクアンプ１８の出力を、呼出送話端子１０側または、ＮＣ切替接点ａ１側へ切換えられるようになっている。
【００２１】
１９は、聴感補正アンプであり、送話ゲインや周波数特性の補正を行なう。また、スピーカの出力音量は、前述した受話ＶＲ４を操作することにより、可変できるようになっている。
次に、ナースコール子機の動作を図２の状態を初期状態として説明する。
この状態は、ナースコール親機に対しては、呼出状態でも通話状態でもない、待機状態であり、非ナースコール状態である。
【００２２】
この状態において、６補聴用イヤホン６の挿入を検知したイヤホン挿入判定部１３の出力で、イヤホン切替手段１４を作動させ、イヤホン切替接点ｂ１は、図のように聴感補正アンプ１９側に切替わっている。
【００２３】
また、呼出送話端子１０は、ナースコール親機に対して呼出および通話の状態ではない、すなわち、非ナースコール状態乃至待機の状態であるため、呼出送話端子１０に連なるＮＣ判定部１６において、ナースコール状態は検出されず、ＮＣ切替手段１７は、非動作の状態を維持する。すなわち、ＮＣ切替接点ａ１、ａ２は図の状態を維持する。
【００２４】
この状態は、ナースコール子機が補聴器として動作している状態である。
すなわち、患者および患者と会話する相手方である看護師等の音声を同時に集音するマイク１３で集音された音声は、マイクアンプ１８、ＮＣ切替接点ａ２、ＮＣ切替接点ａ１、イヤホン切替接点ｂ１を介して、聴感補正アンプ１９に入力され、聴感補正アンプ１９で必要に応じて増幅および特性を補正を受けて、補聴用イヤホン６に出力される。
【００２５】
次に、この状態すなわち、ナースコール子機が補聴器として動作している状態において、ナースコール用の呼出ボタン２を押した時の動作を説明する。
【００２６】
まず、呼出ボタン２を押すと、呼出手段１５を介して呼出信号がナースコール親機に送られるとともに、呼出確認灯３が点灯する。
同時に、呼出操作による呼出送話端子１０の変動信号は、ＮＣ判定部１６でナースコール状態として検出され、ＮＣ切替出力手段１７が動作する結果、ＮＣ切替接点ａ１、ａ２が切替わる。
【００２７】
これにより、マイクアンプ１８の出力は、ＮＣ切替接点ａ２を介して呼出送話端子１０側に切り替わる。同時に、ＮＣ切替接点ａ１の切替わりにより、受話端子９は、ＮＣ切替接点ａ１、イヤホン切替接点ｂ１、聴感補正アンプ１５を介して補聴用イヤホン６に接続される。
【００２８】
次に、ナースコール親機でナースコール子機からの呼出に応答すると通話状態に遷移するが、この通話状態における呼出送話端子１０の変動電位もＮＣ判定部１６では、呼出時と同様ナースコール状態として検出されるため、ＮＣ切替出力手段１７はナースコール状態を維持し、ＮＣ切替接点ａ１、ａ２はナースコール側に切替った状態を維持する。
【００２９】
このようにして、ナースコール子機は、補聴用イヤホン６およびマイク７により、ナースコール親機との間で相互に通話ができる。従って、本発明による補聴機能付きナースコール子機を使用すれば、補聴用イヤホン６を使ったナースコール通話が可能であり、耳が聞こえ難くなったお年寄りや、難聴者等、聴力に支障のある患者さんでも支障なくナースコール通話できる。
【００３０】
聴力に問題のない患者さんの場合は、通常は、イヤホンの装着は不要である。
補聴用イヤホンを外した場合には、イヤホン挿入判定部１３が補聴用イヤホンの取外しを検知する結果、イヤホン切替手段８が復帰する。イヤホン切替手段１４が復帰すると、イヤホン切替接点ｂ１がスピーカ５側に切替わるため、ナースコール親機との通話は、通常のナースコール子機と同様、マイク１３およびスピーカ５により行なわれる。
【００３１】
なお、以上では、ナースコール子機は、一般的には、ハンド型ナースコール子機と称される手持ち型のものを実施例として示したが、これに限定されるものではなく、壁付型のナースコール子機を使用することもできる。
【００３２】
また、イヤホン切替接点、ＮＣ切替接点は、リレーで代表される機械式接点を図示したが、必ずしも本実施例に限定されるものではなく、ＭＯＳ−ＩＣなどによる電子式接点を使用することも可能である。
【図面の簡単な説明】
【００３３】
【図１】本発明の１実施例におけるナースコール子機の外観図。
【図２】本発明の１実施例におけるナースコール子機のブロック図。
【符号の説明】
【００３４】
１    子機本体
２    呼出ボタン
５    スピーカ
６    補聴用イヤホン
７    マイク
９    受話端子
１０    呼出送話端子
１３    イヤホン挿入判定部
１４    イヤホン切替手段
１６    ＮＣ判定部
１７    ＮＣ切替手段
１８    マイクアンプ
【図１】
2006230755.tif 000003
【図２】
2006230755.tif 000004